(57)【特許請求の範囲】
【請求項１】
内容物を収容する有底筒状の容器本体と、
前記容器本体の上端開口部に離脱自在に外嵌された装着筒を有する蓋体と、
を備える箱型容器であって、
前記容器本体には、前記装着筒を径方向外側から囲繞する囲繞筒が配設され、
前記囲繞筒が、前記容器本体に固着された固着帯部と、前記固着帯部の両周方向端部同士の間に介装された可動帯部と、を備え、
前記可動帯部のうち、周方向の一端部が前記固着帯部に固着され、周方向の他端部が、前記固着帯部に破断可能な弱化部を介して連結され、
前記可動帯部が、周方向の一端部回りに径方向外側に向けて回動自在に形成され、
前記固着帯部には、前記可動帯部が径方向外側に向けて回動されて前記可動帯部の外周面が前記固着帯部の外周面に重ね合わされたときに、前記可動帯部に形成された係止部と係止する被係止部が形成されていることを特徴とする箱型容器。
【請求項２】
前記可動帯部の内周面には、複数の縦溝が周方向に間隔をあけて形成されると共に前記可動帯部の外周面が、平滑面であることを特徴とする請求項１に記載の箱型容器。
【発明の詳細な説明】
【技術分野】
【０００１】
本発明は、不正開封防止機能付き箱型容器に関するものである。
【背景技術】
【０００２】
内容物を収容する有底筒状の容器本体と、屈曲部を介して容器本体に連結された蓋体と、を備える箱型容器が提案されている（例えば、特許文献１参照）。このような箱型容器では、蓋体を屈曲部回りで回動させることによって容器本体を開閉する。
【先行技術文献】
【特許文献】
【０００３】
【特許文献１】実開平０３−０１７０５６号公報
【発明の概要】
【発明が解決しようとする課題】
【０００４】
このような箱型容器では、一般的に、蓋体及び容器本体に対して一体にラベルを貼着したり蓋体及び容器本体をフィルムで被覆したりすることによって、不正開封防止を図っている。しかしながら、この場合、内容物の使用に先立って、ラベルやフィルムを除去して廃棄する必要があった。
【０００５】
本発明は、前述の課題に鑑みてなされたもので、開封時に廃棄物を発生させることのない不正開封防止機能を付与した箱型容器を提供することを目的とする。
【課題を解決するための手段】
【０００６】
本発明は、上記のような課題を解決するために以下のような手段を採用した。すなわち、本発明の箱型容器は、内容物を収容する有底筒状の容器本体と、前記容器本体の上端開口部に離脱自在に外嵌された装着筒を有する蓋体と、を備える箱型容器であって、前記容器本体には、前記装着筒を径方向外側から囲繞する囲繞筒が配設され、前記囲繞筒が、前記容器本体に固着された固着帯部と、前記固着帯部の両周方向端部同士の間に介装された可動帯部と、を備え、前記可動帯部のうち、周方向の一端部が前記固着帯部に固着され、周方向の他端部が、前記固着帯部に破断可能な弱化部を介して連結され、前記可動帯部が、周方向の一端部回りに径方向外側に向けて回動自在に形成され、前記固着帯部には、前記可動帯部が径方向外側に向けて回動されて前記可動帯部の外周面が前記固着帯部の外周面に重ね合わされたときに、前記可動帯部に形成された係止部と係止する被係止部が形成されていることを特徴とする。
【０００７】
この発明では、弱化部を破断する前は、囲繞筒が蓋体の装着筒を径方向外側から囲繞しているため、蓋体を容器本体から取り外されることを防止する。そして、固着帯部との間の弱化部を破断して可動帯部をその一端部回りで回動させると、装着筒のうち可動帯部で覆われていた部分が露呈されるため、この部分を操作することによって、蓋体を容器本体から取り外し可能となる。このとき、可動帯部をその一端部回りに回動させて係止部を被係止部に係止させているため、可動帯部が容器本体からは取り外されない。これにより、開封時に廃棄物を発生させることなく箱型容器に不正開封防止機能を付与できる。
【０００８】
また、本発明の箱型容器では、前記可動帯部の内周面には、複数の縦溝が周方向に間隔をあけて形成されると共に前記可動帯部の外周面が、平滑面であってもよい。
この場合では、縦溝を形成することによって、可動帯部をその一端部回りで回動させたときに、固着帯部に沿うように可動帯部を変形しやすくなるので、係止部を被係止部により容易に係止させることができる。また、可動帯部の外周面が平滑面とされているので、可動帯部の外観を維持できる。
【発明の効果】
【０００９】
この発明にかかる箱型容器によれば、開封前は囲繞筒によって蓋体が容器本体から取り外されることを規制し、また、固着帯部との間の弱化部を破断して可動帯部を回動させ、係止部を被係止部に係止させた後では蓋体を容器本体から取り外し可能となると共に可動帯部が容器本体から取り外されないので、開封時に廃棄物を発生させることなく箱型容器に不正開封防止機能を付与できる。
【図面の簡単な説明】
【００１０】
【図１】本発明の一実施形態にかかる箱型容器を示す部分断面図である。
【図２】図１の箱型容器を示す上面図である。
【図３】図１の囲繞筒を示す部分拡大図である。
【図４】図１のＡ−Ａ矢視断面図である。
【図５】図１のＢ−Ｂ矢視断面図である。
【発明を実施するための形態】
【００１１】
以下、本発明における一実施形態にかかる箱型容器を、図面に基づいて説明する。なお、以下の説明に用いる各図面では、各部材を認識可能な大きさとするために縮尺を適宜変更している。
【００１２】
本発明にかかる箱型容器１は、図１から図３に示すように、内容物を収容する有底楕円筒状の容器本体２と、容器本体２の上端開口部２Ａに装着された有頂楕円筒状の蓋体３と、を備える。
容器本体２及び蓋体３は、それぞれの中心軸線が共通軸上に位置する状態で配設されている。以下、この共通軸を容器軸Ｏと称し、図１において容器軸Ｏに沿って容器本体２の底部から上端開口部２Ａに向かう方向を上方、その逆方向を下方とする。また、容器軸Ｏから見た平面視で容器軸Ｏに直交する方向を径方向、容器軸Ｏ回りで周回する方向を周方向と称する。
【００１３】
容器本体２は、図１に示すように、楕円状の底部（図示略）と、この底部の外周縁から上方に延設された楕円筒状の胴部１１と、を備える。
胴部１１の上端部には、胴部１１の上端部を径方向外側から囲繞する楕円筒状の被装着筒１２と、被装着筒１２を径方向外側から囲繞する楕円筒状の囲繞筒１３と、が設けられている。
被装着筒１２及び囲繞筒１３それぞれの下端は、胴部１１の上端よりも下側に位置し、被装着筒１２及び囲繞筒１３それぞれの上端は、胴部１１の上端よりも上側に位置している。
被装着筒１２の上下方向の中央部は、胴部１１の上端から全周にわたって径方向外側に延在する平面視で楕円環状の環状接続部１４によって胴部１１の上端に接続されている。
【００１４】
囲繞筒１３は、図１から図３に示すように、周方向に沿って延在する帯状の固着帯部１５及び可動帯部１６を有する。
固着帯部１５の下端は、図１、図３及び図４に示すように、周方向の全長にわたって、帯接続部１７を介して被装着筒１２の下端に連結されている。
【００１５】
可動帯部１６は、図１から図３に示すように、固着帯部１５の周方向両端部同士の間に介装されており、可動帯部１６の下端は、図１、図３及び図５に示すように、周方向の全長にわたって、破断可能な弱化接続部１８を介して被装着筒１２の下端に接続されている。弱化接続部１８は、図５に示すように、帯接続部１７よりも上下方向の厚さを薄くすることによって形成されている。また、図１から図３に示すように、可動帯部１６の周方向の一端部は、固着帯部１５の一端部に固着されており、可動帯部１６は、薄肉とされることによって、この一端部回りに径方向外側に向けて回動自在に形成されている。
可動帯部１６の周方向の他端部は、破断可能な弱化連結部（弱化部）１９を介して可動帯部１６の他端部に連結されている。また、可動帯部１６のこの他端部には、係止突出部（係止部）１６Ａが径方向外側に向けて突設されている。この係止突出部１６Ａは、固着帯部１５において可動帯部１６を回動させて固着帯部１５の外周面に重ね合わされたときに係止突出部１６Ａに対応する位置に形成された係止孔部（被係止部）１５Ａと係止する。また、可動帯部１６のこの他端部には、上方に向けて操作突出部１６Ｂが延設されている。
さらに、可動帯部１６の内周面には、複数の縦溝１６Ｃが周方向に間隔をあけて形成されている。なお、可動帯部１６の外周面は、平滑面とされている。
【００１６】
蓋体３は、平面視で楕円状の天壁部２１と、天壁部２１の外周縁から下方に向けて延設された楕円筒状の側壁部２２と、を有する。
側壁部２２の下端部には、図１、図２、図４及び図５に示すように、側壁部２２の下端部２２Ａを径方向外側から囲繞する楕円筒状の装着筒２３が配設されている。装着筒２３の上端は、側壁部２２の上下方向の中央部から全周にわたって径方向外側に延在する平面視で楕円環状の環状フランジ部２４によって側壁部２２の上下方向の中央部に接続されている。また、装着筒２３の下端には、全周にわたって環状突出部２３Ａが径方向外側に向けて突設されている。環状突出部２３Ａの外周縁は、囲繞筒１３の上下方向の中央部において囲繞筒１３の内周面に当接している。さらに、装着筒２３は、被装着筒１２とアンダーカット嵌合している。そして、装着筒２３は、側壁部２２の下端部２２Ａと共に被装着筒１２の上端部を径方向で挟み込んでおり、高い密封性を付与して内容物が乾燥することなどを防止している。
【００１７】
次に、以上のような構成の箱型容器１の使用方法について説明する。
まず、箱型容器１の例えば流通時や陳列時では、囲繞筒１３が蓋体３の装着筒２３を径方向外側から全周にわたって囲繞し、装着筒２３の環状突出部２３Ａの外周縁が囲繞筒１３の内周面に当接していると共に装着筒２３が被装着筒１２とアンダーカット嵌合している。蓋体３を容器本体２から取り外すためには蓋体３の装着筒２３を径方向外側に弾性変形させて被装着筒１２とのアンダーカット嵌合を解除する必要があるが、装着筒２３の環状突出部２３Ａの外周縁が囲繞筒１２の内周面に当接しているので、装着筒２３の径方向外側への弾性変形が規制される。そのため、容器本体２から蓋体３を容易には取り外しにくくなっている。
【００１８】
続いて、箱型容器１の容器本体２から蓋体３を取り外す際には、まず、可動帯部１６の周方向の他端部を摘まんで引き上げるなどして固着帯部１５との間の弱化連結部１９を破断する。そして、可動帯部１６を周方向の一端部に向けて周方向で引っ張っていく。これにより、可動帯部１６の下端と容器本体２の被装着筒１２の下端との間の弱化接続部１８を周方向に沿って順次破断する。弱化接続部１８の破断後、可動帯部１６を周方向の一端部回りで径方向外側へ回動させ、可動帯部１６の他端部に形成されている係止孔部１５Ａを固着帯部１５に形成されている係止突出部１６Ａに係止させる。このとき、可動帯部１６の内周面に縦溝１６Ｃが形成されているので、可動帯部１６は、その一端部回りで折り返して反転させたときに、固着帯部１５に沿うように容易に配置される。
これにより、蓋体３の装着筒２３のうち可動帯部１６を折り返すことによって露出した部分は、囲繞筒１３による規制から解除され、径方向外側に弾性変形可能となる。そして、この部分に指をかけるなどして、蓋体３を容器本体２から取り外す。その後、適宜内容物を取り出す。
【００１９】
以上のような構成の箱型容器１によれば、流通時や陳列時などでは、囲繞筒１３が蓋体３の装着筒２３を径方向外側から囲繞することによって蓋体３を容器本体２から取り外すことが規制されており、また、蓋体３を容器本体２から取り外す際には、可動帯部１６を破断してその一端部回りで折り返すように回動させた後に係止孔部１５Ａを係止突出部１６Ａに係止し、可動帯部１６を容器本体２から取り外さないので、開封時に廃棄物を発生させることなく箱型容器１に不正開封防止機能を付与できる。
さらに、可動帯部１６の内周面に縦溝１６Ｃが形成されているので、可動帯部１６をその一端部回りで折り返したときに可動帯部１６を固着帯部１５に沿って容易に配設でき、係止孔部１５Ａと係止突出部１６Ａとを容易に係止させることができる。ここで、可動帯部１６の外周面が平滑面とされているので、蓋体３を容器本体２から取外し可能とする前の可動帯部１６の外観を維持できる。
【００２０】
なお、本発明は上記実施形態に限定されるものではなく、本発明の趣旨を逸脱しない範囲において種々の変更を加えることができる。
例えば、係止部を係止孔部とし、被係止部を係止突出部としているが、係止部を係止突出部とし、被係止部を係止孔部とするなど、係止部及び被係止部の構造を適宜変更してもよい。また、係止部及び被係止部それぞれを複数設けてもよい。
可動帯部の内周面に縦溝を形成すると共に外周面を平滑面としているが、係止突出部と係止孔部とを係止させることができれば、例えば可動帯部の外周面に縦溝を形成してもよく、可動帯部の形状を別の形状としてもよい。
可動帯部は、周方向の他端部回りに回動されて固着帯部に沿うように折り返されているが、係止突出部と係止孔部とを係止させることができれば、必ずしも固着帯部の沿うように折り返される必要はない。
弱化連結部及び弱化接続部は、薄肉とすることによって破断可能とされているが、例えば破断可能なブリッジなど、他の構成により形成されてもよい。
可動帯部の下端は、弱化接続部を介して被装着筒の下端に接続されているが、囲繞筒が装着筒を径方向外側から囲むように配設されていれば、弱化接続部が設けられていなくてもよい。
可動帯部は、囲繞筒の複数個所に設けられてもよい。
装着筒の下端には環状突出部が形成されており、環状突出部の外周縁が囲繞筒の内周面に当接しているが、囲繞筒の内周面に当接していなくてもよい。
容器本体、蓋体、装着筒及び囲繞筒は、楕円筒状をなしているが、四角状など他の形状をなしてもよい。
【産業上の利用可能性】
【００２１】
この発明によれば、開封時に廃棄物を発生させることのない不正開封防止機能を付与した箱型容器に関して、産業上の利用可能性が認められる。
【符号の説明】
【００２２】
１  箱型容器、２  容器本体、２Ａ  上端開口部、３  蓋体、１３  囲繞筒、１５  固着帯部、１５Ａ  係止孔部（被係止部）、１６  可動帯部、１６Ａ  係止突出部（係止部）、１６Ｃ  縦溝、１９  弱化連結部（弱化部）、２３  装着筒、Ｏ  容器軸
【図１】
0006423266.tif 000002
【図２】
0006423266.tif 000003
【図３】
0006423266.tif 000004
【図４】
0006423266.tif 000005
【図５】
0006423266.tif 000006